(57)【要約】【課題】防水性能の低下を抑えてコネクタを筐体に固定することができるコネクタ取付け構造を提供する。【解決手段】コネクタ取付け構造１が、ハウジング１１１、及び、ネジ１３０が貫通する取付け孔１３１ａが設けられた取付け部１３１、を有するコネクタ１１０と、外壁１２１に、ハウジング１１１が貫通する貫通孔１２１ａ、及びネジ１３０が螺入するネジ孔１２１ｂが設けられた筐体１２０と、貫通孔１２１ａからの浸水を抑えるＯリング１４０（防水部材）と、取付け部１３１における取付け孔１３１ａとは異なる位置に設けられる係合部１５１、及び、外壁１２１に設けられて係合部１５１が係合する被係合部１５２、を有し、ネジ１３０が貫通する取付け孔１１３ａの中心軸１１３ａ−１回りのコネクタ１１０の回転を規制する規制構造１５０と、を備えたことを特徴とする。【選択図】図５
2020205153.tif 000002
【特許請求の範囲】
【請求項１】
筒状のハウジング、及び、当該ハウジングの外周面から板状に延出して取付け対象に固定するためのネジが貫通する取付け孔が設けられた取付け部、を有するコネクタと、
外壁に、前記ハウジングが貫通する貫通孔、及び前記ネジが螺入するネジ孔が設けられた筐体と、
前記コネクタと前記外壁の間に介在し、前記貫通孔からの浸水を抑える防水部材と、
前記取付け部における前記取付け孔とは異なる位置に設けられる係合部、及び、前記外壁に設けられて前記係合部が係合する被係合部、を有し、前記ネジが貫通する前記取付け孔の中心軸回りの前記コネクタの回転を規制する規制構造と、
を備えたことを特徴とするコネクタ取付け構造。
【請求項２】
前記係合部が、前記取付け部から突出した突起であり、
前記被係合部が、前記外壁に設けられて前記突起が嵌入する嵌入穴であることを特徴とする請求項１に記載のコネクタ取付け構造。
【請求項３】
前記ネジ孔が複数設けられ、
前記取付け孔が、複数の前記ネジ孔に一対一に重なるように複数設けられ、
前記係合部が、複数の前記取付け孔それぞれについて１つずつ複数設けられ、
前記被係合部が、複数の前記係合部それぞれについて１つずつ複数設けられていることを特徴とする請求項１又は２に記載のコネクタ取付け構造。
【請求項４】
前記係合部が、前記取付け部の外周縁のうち前記取付け孔に最も近い縁部分に対し、当該取付け孔よりも遠くなる位置に設けられていることを特徴とする請求項１〜３のうち何れか一項に記載のコネクタ取付け構造。
【請求項５】
筒状のハウジング、及び、当該ハウジングの外周面から板状に延出し、当該ハウジングを取付け対象に固定するための複数のネジが貫通する複数の取付け孔が設けられた取付け部、を有するコネクタと、
外壁に、前記ハウジングが貫通する貫通孔、及び前記複数のネジが螺入する複数のネジ孔が設けられた筐体と、
前記コネクタと前記外壁の間に介在し、前記貫通孔からの浸水を抑える防水部材と、
前記取付け部における前記複数の取付け孔の少なくとも一の取付け孔の内縁から突出した凸部、及び、前記外壁に設けられて前記凸部が嵌入する凹部、を有し、前記ネジが貫通する前記取付け孔の中心軸回りの前記コネクタの回転を規制する規制構造と、
を備えたことを特徴とするコネクタ取付け構造。
【請求項６】
前記凸部が、前記少なくとも一の取付け孔の内縁の全周から突出した円筒状凸部であり、
前記凹部が、前記ネジ孔の螺入口を、前記円筒状凸部が嵌入可能な径に拡げたザグリ穴であることを特徴とする請求項５に記載のコネクタ取付け構造。
【請求項７】
前記凸部が、前記複数の取付け孔それぞれの内縁から突出するように複数設けられ、
前記凹部が、複数の前記凸部に一対一に対応するように複数設けられていることを特徴とする請求項５又は６に記載のコネクタ取付け構造。
【請求項８】
前記取付け部が、前記ハウジングとは別部品として形成されて当該ハウジングに固定される部材であることを特徴とする請求項１〜７のうち何れか一項に記載のコネクタ取付け構造。
【請求項９】
前記防水部材が、前記外壁における前記貫通孔の内縁と前記ハウジングの外周面との間に介在することを特徴とする請求項１〜８のうち何れか一項に記載のコネクタ取付け構造。
【発明の詳細な説明】
【技術分野】
【０００１】
本発明は、コネクタを筐体に固定するためのコネクタ取付け構造に関するものである。
【背景技術】
【０００２】
電気機器や電子機器等の装置の筐体の多くには、ワイヤハーネス等を接続するためのコネクタが設けられている。このようなコネクタを筐体に固定するためのコネクタ取付け構造としては、従来、コネクタの取付け孔を介して筐体のネジ孔にネジが螺入されることで、コネクタを筐体にネジ固定する構造が知られている（例えば、特許文献１及び特許文献２参照。）。この構造では、コネクタにおける筒状のハウジングの外周面から延出するようにフランジが設けられ、このフランジに取付け孔が設けられている。筐体の外壁には、コネクタのハウジングが貫通する貫通孔が設けられている。コネクタのハウジングがこの貫通孔を貫通すると、フランジが貫通孔の周囲の壁面に重ねられる。そして、この壁面に、フランジにおける取付け孔と重なって開口するようにネジ孔が設けられている。
【先行技術文献】
【特許文献】
【０００３】
【特許文献１】特開２０１１−２０４５９７号公報
【特許文献２】特開２０１２−１７４５０６号公報
【発明の概要】
【発明が解決しようとする課題】
【０００４】
ここで、コネクタのハウジングが筐体の外壁における貫通孔を貫通して筐体に固定される構造では、貫通孔からの浸水を抑える防水部材が、コネクタと筐体の外壁との間に介在するように設けられる場合がある。このとき、フランジにおける取付け孔の周囲への、螺入中のネジの接触等に起因して、コネクタには、そのネジが貫通した取付け孔の中心軸回りの回転力が作用することがある。そして、この回転力によってコネクタが回転すると、コネクタや筐体の外壁に防水部材が片寄って接触してしまい、防水性能を低下させてしまう場合がある。
【０００５】
従って、本発明は、上記のような問題に着目し、防水性能の低下を抑えてコネクタを筐体に固定することができるコネクタ取付け構造を提供することを目的とする。
【課題を解決するための手段】
【０００６】
上記課題を解決するために、本発明の第１のコネクタ取付け構造は、筒状のハウジング、及び、当該ハウジングの外周面から板状に延出して取付け対象に固定するためのネジが貫通する取付け孔が設けられた取付け部、を有するコネクタと、外壁に、前記ハウジングが貫通する貫通孔、及び前記ネジが螺入するネジ孔が設けられた筐体と、前記コネクタと前記外壁の間に介在し、前記貫通孔からの浸水を抑える防水部材と、前記取付け部における前記取付け孔とは異なる位置に設けられる係合部、及び、前記外壁に設けられて前記係合部が係合する被係合部、を有し、前記ネジが貫通する前記取付け孔の中心軸回りの前記コネクタの回転を規制する規制構造と、を備えたことを特徴とする。
【０００７】
また、上記課題を解決するために、本発明の第２のコネクタ取付け構造は、筒状のハウジング、及び、当該ハウジングの外周面から板状に延出し、当該ハウジングを取付け対象に固定するための複数のネジが貫通する複数の取付け孔が設けられた取付け部、を有するコネクタと、外壁に、前記ハウジングが貫通する貫通孔、及び前記複数のネジが螺入する複数のネジ孔が設けられた筐体と、前記コネクタと前記外壁の間に介在し、前記貫通孔からの浸水を抑える防水部材と、前記取付け部における前記複数の取付け孔の少なくとも一の取付け孔の内縁から突出した凸部、及び、前記外壁に設けられて前記凸部が嵌入する凹部、を有し、前記ネジが貫通する前記取付け孔の中心軸回りの前記コネクタの回転を規制する規制構造と、を備えたことを特徴とする。
【発明の効果】
【０００８】
本発明の第１及び第２のコネクタ取付け構造によれば、コネクタ側の係合部と筐体側の被係合部とを有する規制構造、又はコネクタ側の凸部と筐体側の凹部とを有する規制構造によって、ネジが貫通する取付け孔の中心軸回りのコネクタの回転が規制される。この規制により防水部材の片寄りが抑えられて、防水性能の低下が抑えられることとなる。このように、本発明の第１及び第２のコネクタ取付け構造によれば、防水性能の低下を抑えてコネクタを筐体に固定することができる。
【図面の簡単な説明】
【０００９】
【図１】第１実施形態にかかるコネクタ取付け構造を示す斜視図である。
【図２】図１に示されているコネクタの分解斜視図である。
【図３】Ｏリング付きのコネクタが筐体に外側から取り付けられてネジによって固定される様子を、筐体の外側から見た斜視図である。
【図４】Ｏリング付きのコネクタが筐体に外側から取り付けられてネジによって固定される様子を、筐体の内側から見た斜視図である
【図５】図１に示されているコネクタ取付け構造の、図１中のＶ１１−Ｖ１１線に沿った断面図である。
【図６】第２実施形態にかかるコネクタ取付け構造について、Ｏリング付きのコネクタが筐体に外側から取り付けられてネジによって固定される様子を、筐体の外側から見た斜視図である。
【図７】図６に示されているコネクタ取付け構造について、Ｏリング付きのコネクタが筐体に外側から取り付けられてネジによって固定される様子を、筐体の内側から見た斜視図である。
【図８】図６及び図７に示されているコネクタ取付け構造について、図５と同様の断面を示す断面図である。
【発明を実施するための形態】
【００１０】
以下、コネクタ取付け構造の一実施形態について説明する。まず、第１実施形態について説明する。
【００１１】
図１は、第１実施形態にかかるコネクタ取付け構造を示す斜視図である。尚、この図１では、コネクタ１１０が取り付けられる筐体１２０については、その外壁１２１の一部のみが模式的に示されている。この点については、後に参照する他の図３〜図８においても同様である。
【００１２】
本実施形態のコネクタ取付け構造１は、コネクタ１１０を筐体１２０の外壁１２１に２本のネジ１３０で固定する構造となっている。このコネクタ取付け構造１において、コネクタ１１０は次のような構成を有している。尚、ここでは特定しないが、筐体１２０としては、例えば車両に搭載されるＥＣＵ（Electronic Control Unit）等といった電気電子機器の筐体が挙げられる。コネクタ１１０は、このような電気電子機器の内部回路と外部電源や外部機器との電気的な接続に用いられるものとなっている。
【００１３】
図２は、図１に示されているコネクタ１１０の分解斜視図である。
【００１４】
コネクタ１１０は、ハウジング１１１、複数のコネクタ端子１１２、及び取付け部１１３、を備えている。
【００１５】
ハウジング１１１は、樹脂で矩形筒状に形成されており、その内部に複数のコネクタ端子１１２を収容して保持している。コネクタ端子１１２は、オス型端子であって、金属製のピンの一端がハウジング１１１の内部に位置し、このコネクタ１１０に接続される相手側コネクタにおけるメス型端子に嵌合する。コネクタ端子１１２の他端は、Ｌ字型に曲げられており、筐体１２０の内部に設置された回路基板のランドに挿入されてはんだ付け固定される。
【００１６】
取付け部１１３は、ハウジング１１１の外周面１１１ａから板状に延出して取付け対象たる筐体１２０に固定するためのネジ１３０が貫通する取付け孔１１３ａが２箇所に設けられた部位である。この取付け部１１３は、筐体１２０の外壁１２１が金属製であるのに合わせて、樹脂製のハウジング１１１とは別部品として形成されてハウジング１１１に固定される金属製の部材となっている。ハウジング１１１の外周面１１１ａには、この取付け部１１３が圧入される圧入溝１１１ｂが、図２中の上面、及び一対の側面に亘って形成されている。取付け部１１３は、長方形板における一方の長辺側を矩形状に切り欠いた形状、即ち平面視でＣ字状となるように形成され、切欠きの内側にハウジング１１１が収まるように圧入溝１１１ｂに圧入される。また、取付け部１１３には、その長手方向の両端部に１つずつネジ１３０が貫通する取付け孔１１３ａが設けられている。
【００１７】
ここで、ハウジング１１１の外周面１１１ａには、上記の圧入溝１１１ｂの他に、防水部材としてのＯリング１４０を取付けるためのＯリング取付け溝１１１ｃが形成されている。Ｏリング取付け溝１１１ｃは、ハウジング１１１の外周面１１１ａに一周に亘って形成されており、Ｏリング１４０は、このＯリング取付け溝１１１ｃに嵌め込まれるようになっている。このようなＯリング１４０付きのコネクタ１１０が筐体１２０に外側から取り付けられてネジ１３０によって固定される。
【００１８】
図３は、Ｏリング付きのコネクタが筐体に外側から取り付けられてネジによって固定される様子を、筐体の外側から見た斜視図である。図４は、Ｏリング付きのコネクタが筐体に外側から取り付けられてネジによって固定される様子を、筐体の内側から見た斜視図である。また、図５は、図１に示されているコネクタ取付け構造の、図１中のＶ１１−Ｖ１１線に沿った断面図である。
【００１９】
コネクタ取付け構造１における筐体１２０は、金属製の外壁１２１に、コネクタ１１０のハウジング１１１が貫通する長方形状の貫通孔１２１ａ、及び２本のネジ１３０が螺入する２つのネジ孔１２１ｂが設けられている。
【００２０】
コネクタ１１０の筐体１２０への取付けに当っては、まず、Ｏリング１４０が取付けられたコネクタ１１０は、ハウジング１１１が外壁１２１の貫通孔１２１ａに、取付け部１１３が外壁１２１に重なる位置まで挿入される。これにより、Ｏリング１４０は、コネクタ１１０におけるハウジング１１１の外周面１１１ａと貫通孔１２１ａの内周面１２１ａ−１との間に一周に亘って介在して、貫通孔１２１ａからの浸水を抑える防水部材の役割を担う。
【００２１】
上記のようにコネクタ１１０が挿入されると取付け部１１３における２つの取付け孔１１３ａが２つのネジ孔１２１ｂに一対一に重なる。そして、２本のネジ１３０が、２つの取付け孔１１３ａを貫通して２つのネジ孔１２１ｂに螺入されてコネクタ１１０が筐体１２０に固定される。
【００２２】
ここで、各ネジ１３０の螺入の最終段階ではネジ頭が取付け孔１１３ａの周辺部を摺擦しつつネジ１３０が回転することとなる。このとき、ネジ１３０におけるネジ頭との摩擦により、取付け部１１３、即ちコネクタ１１０は、そのネジ１３０が貫通する取付け孔１１３ａの中心軸１１３ａ−１回りの回転力を受ける。この回転力を受けてコネクタ１１０が回転すると、ハウジング１１１の外周面１１１ａや貫通孔１２１ａの内周面１２１ａ−１にＯリング１４０が片寄って接触してしまい、防水性能を低下させてしまう恐れが生じる。
【００２３】
そこで、このコネクタ取付け構造１には、以下に説明するように、ネジ１３０が貫通する取付け孔１１３ａの中心軸１１３ａ−１回りのコネクタ１１０の回転を規制する規制構造１５０が設けられている。この規制構造１５０は、コネクタ１１０の取付け部１１３に設けられる係合部１５１と、筐体１２０の外壁１２１に設けられる被係合部１５２と、を備えている。
【００２４】
係合部１５１は、取付け部１１３の、筐体１２０側の面１１３ｂにおける、取付け孔１１３ａとは異なる位置に設けられる、取付け部１１３の当該面１１３ｂから突出した突起である。この係合部１５１は、２つの取付け孔１１３ａそれぞれに１つずつ隣り合うように２つ設けられている。また、各係合部１５１は、取付け部１１３の外周縁１１３ｃのうち、隣り合う取付け孔１１３ａに最も近い縁部分１１３ｄに対し、当該取付け孔１１３ａよりも遠くなる位置に設けられている。
【００２５】
被係合部１５２は、筐体１２０の外壁１２１における外面１２１ｃに設けられ、上記の係合部１５１が嵌入して係合する嵌入穴である。この被係合部１５２は、２つのネジ孔１２１ｂそれぞれに１つずつ隣り合って係合部１５１が嵌入されるように２つ設けられている。
【００２６】
この規制構造１５０では、ネジ止めの際に上記の回転力を受けてコネクタ１１０が回転しようとすると、２つの係合部１５１が２つの被係合部１５２と干渉することでその回転が直ちに止められる。規制構造１５０は、係合部１５１と被係合部１５２とのこのような干渉によりコネクタ１１０の回転を規制する。
【００２７】
以上に説明したように、第１実施形態のコネクタ取付け構造１によれば、規制構造１５０によって、ネジ１３０が貫通する取付け孔１１３ａの中心軸１１３ａ−１回りのコネクタ１１０の回転が規制される。この規制によりＯリング１４０の片寄りが抑えられて、防水性能の低下が抑えられることとなる。このように、本実施形態のコネクタ取付け構造１によれば、防水性能の低下を抑えてコネクタ１１０を筐体１２０に固定することができる。
【００２８】
ここで、本実施形態では、係合部１５１が、コネクタ１１０の取付け部１１３から突出した突起であり、被係合部１５２が、筐体１２０の外壁１２１に設けられた嵌入穴となっている。
【００２９】
コネクタ１１０と筐体１２０とでは、その大きさや形状の複雑さ等の点で筐体１２０の方がコネクタ１１０よりも加工が困難になりがちである。本実施形態では、コネクタ１１０における係合部１５１が突起で、筐体１２０における被係合部１５２が、突起に比べて形成が簡単な嵌入穴となっている。従って、本実施形態によれば、規制構造１５０を設けるに当たっての困難さを低減することができる。
【００３０】
また、本実施形態では、係合部１５１が、２つの取付け孔１１３ａそれぞれについて１つずつ２つ設けられ、被係合部１５２が、２つの係合部１１３ａそれぞれについて１つずつ２つ設けられている。本実施形態によれば、２つの係合部１５１と２つの被係合部１５２とによってコネクタ１１０の回転を強固に規制することができるので、防水性能の低下を一層強く抑えることができる。
【００３１】
また、本実施形態では、係合部１５１が、取付け部１１３の外周縁１１３ｃのうち取付け孔１１３ａに最も近い縁部分１１３ｄに対し、当該取付け孔１１３ａよりも遠くなる位置に設けられている。本実施形態によれば、係合部１５１が、取付け部１１３の縁部分１１３ｄに対し、取付け孔１１３ａよりも遠くなる位置に設けられるので、取付け孔１１３ａと縁部分１１３ｄとの間に係合部１５１を設けるためのスペースが不要である。このようなスペースが不要であるので、係合部１５１の設置による取付け部１１３（つまりは、コネクタ１１０）の大型化を抑えることができる。
【００３２】
次に第２実施形態について説明する。この第２実施形態は、コネクタ取付け構造においてコネクタの回転を規制する規制構造が、上述の第１実施形態と異なっている。以下では、第２実施形態について、第１実施形態との相違点に注目して説明を行う。
【００３３】
図６は、第２実施形態にかかるコネクタ取付け構造について、Ｏリング付きのコネクタが筐体に外側から取り付けられてネジによって固定される様子を、筐体の外側から見た斜視図である。図７は、図６に示されているコネクタ取付け構造について、Ｏリング付きのコネクタが筐体に外側から取り付けられてネジによって固定される様子を、筐体の内側から見た斜視図である。また、図８は、図６及び図７に示されているコネクタ取付け構造について、図５と同様の断面を示す断面図である。尚、図６〜図８では、図３〜図５に示されている第１実施形態の構成要素と同等な構成要素には、図３〜図５と同じ符号が付されており、以下では、それら同等な構成要素については重複説明を省略する。
【００３４】
尚、上述の第１実施形態と同様、第２実施形態でも特定しないが、筐体２２０としては、例えば車両に搭載されるＥＣＵ（Electronic Control Unit）等といった電気電子機器の筐体が挙げられる。コネクタ２１０は、このような電気電子機器の内部回路と外部電源や外部機器との電気的な接続に用いられるものとなっている。
【００３５】
第２実施形態のコネクタ取付け構造２では、コネクタ２１０を筐体２２０にネジ止め固定する際の、コネクタ２１０の回転を規制する規制構造２５０が、コネクタ２１０側の凸部２５１と、筐体２２０側の凹部２５２と、を備えている。
【００３６】
凸部２５１は、取付け部２１３における２つの取付け孔２１３ａそれぞれの内縁から突出した部位であり、具体的には、各取付け孔２１３ａの内縁の全周から突出した円筒状凸部となっている。一方の凹部２５２は、筐体２２０の外壁２２１に設けられて凸部２５１が嵌入する部位であり、具体的には、２つのネジ孔２２１ｂそれぞれにおけるネジ１３０の螺入口を、円筒状凸部となった凸部２５１が嵌入可能な径に拡げたザグリ穴となっている。ネジ孔２２１ｂは、ザグリ穴となった凹部２２１ｂの底から外壁２２１の内面にかけて形成されている。
【００３７】
Ｏリング１４０付きのコネクタ１１０の筐体２２０への取付けに当っては、まず、コネクタ１１０のハウジング１１１が筐体２２０の外壁２２１における貫通孔１２１ａに挿入される。すると、取付け部２１３における２つの取付け孔２１３ａが２つのネジ孔２２１ｂに一対一に重なるとともに、２つの凸部２５１が２つの凹部２２１ｂに嵌入される。そして、２本のネジ１３０が、２つの取付け孔２１３ａを貫通して２つのネジ孔２２１ｂに螺入されてコネクタ２１０が筐体２２０に固定される。
【００３８】
規制構造２５０では、一の取付け孔２１３ａについてネジ止めが行われる際にその取付け孔２１３ａの中心軸２１３ａ−１回りにコネクタ２１０が回転しようとすると、他の取付け孔２１３ａについて設けられた凸部２５１及び凹部２５２が互いに干渉する。この干渉により、コネクタ２１０の回転が直ちに止められる。規制構造２５０は、凸部２５１と凹部２５２とのこのような干渉によりコネクタ２１０の回転を規制する。
【００３９】
以上に説明したように、第２実施形態のコネクタ取付け構造２によれば、規制構造２５０によって、ネジ１３０が貫通する取付け孔２１３ａの中心軸２１３ａ−１回りのコネクタ２１０の回転が規制される。この規制によりＯリング１４０の片寄りが抑えられて、防水性能の低下が抑えられることとなる。このように、本実施形態のコネクタ取付け構造２によれば、防水性能の低下を抑えてコネクタ２１０を筐体２２０に固定することができる。
【００４０】
ここで、本実施形態では、規制構造２５０の凸部２５１が、各取付け孔２１３ａの内縁の全周から突出した円筒状凸部であり、凹部２５２が、各ネジ孔２２１ｂの螺入口を拡げたザグリ穴となっている。この規制構造２５０によれば、例えば取付け孔２１３ａの内縁の一部から棒状に突出した凸部等を設ける場合に比べて高強度で回転を規制することができる。また、ザグリ穴としての凹部２５２は加工が簡単であることから、規制構造２５０を設けるに当たっての加工上の困難さを低減することができる。
【００４１】
また、本実施形態では、規制構造２５０の凸部２５１が、２つの取付け孔２１３ａそれぞれの内縁から突出するように２つ設けられ、凹部２５２が、２つの凸部２５１に一対一に対応するように２つ設けられている。この規制構造２５０によれば、２つの凸部２５１と２つの凹部２５２とによってコネクタ２１０の回転を強固に規制することができるので、防水性能の低下を一層強く抑えることができる。
【００４２】
また、上述の第１及び第２実施形態の何れにおいても、コネクタ取付け構造１，２の取付け部１１３，２１３が、樹脂製のハウジング１１１とは別部品として形成されて当該ハウジング１１１に圧入により固定される。この構造によれば、筐体１２０，２２０の外壁１２１，２２１に接する取付け部１１３，２１３を、筐体１２０，２２０の外壁１２１，２２１と同様に金属製とすることができるので、両者の摩耗等を抑えることができる。
【００４３】
また、第１及び第２実施形態の何れにおいても、防水部材であるＯリング１４０が、筐体１２０，２２０の外壁１２１，２２１における貫通孔１２１ａの内縁とハウジング１１１の外周面１１１ａとの間に介在する。この構造によれば、コネクタ１１０，２１０の取付け時にはＯリング１４０が筐体１２０，２２０の外壁１２１，２２１における貫通孔１２１ａ，２２１ａに収まる状態となることから、コネクタ取付け構造２の小型化を図ることができる。
【００４４】
尚、以上に説明した実施形態はコネクタ取付け構造の代表的な形態を示したに過ぎず、コネクタ取付け構造は、これに限定されるものではなく種々変形して実施することができる。
【００４５】
例えば、上述した第１及び第２実施形態では、次のようなコネクタ取付け構造１，２が例示されている。即ち、このコネクタ取付け構造１，２では、コネクタ１１０，２１０の取付け部１１３，２１３に取付け孔１１３ａ，２１３ａが２つ設けられ、筐体１２０の外壁１２１，２２１にネジ孔１２１ａ，２２１ａが２つ設けられている。しかしながら、コネクタ取付け構造は、これに限るものではなく、コネクタの取付け部における取付け孔や筐体の外壁におけるネジ孔の具体的な数を問うものではない。
【００４６】
また、上述した第１及び第２実施形態では、コネクタの一例として、回路基板のランドにコネクタ端子１１２におけるＬ字型に曲げられた一端がはんだ付け固定される基板搭載型のコネクタ１１０，２１０が例示されている。しかしながら、コネクタは、基板搭載型に限るものではなく、例えばコネクタ端子の一端が電線を介して内部機器に接続されるものであってもよい。また、基板搭載型であっても、コネクタ端子の一端がＬ字型に曲げられたものに限るものでもなく、全長に亘ってストレート形状のコネクタ端子を有するものであってもよい。また、上述した第１及び第２実施形態では、コネクタの一例として、矩形筒状のハウジング１１１を有するコネクタ１１０，２１０が例示されている。しかしながら、コネクタにおけるハウジングの形状は、矩形筒状に限るものではなく、例えば円筒状等であってもよい。このように、コネクタは、筒状のハウジングと、ネジが貫通する取付け孔が設けられた取付け部と、を有するものであれば、具体的なコネクタ態様を問うものではない。
【００４７】
また、上述した第１実施形態では、規制構造の一例として、係合部１５１がコネクタ１１０の取付け部１１３から突出した突起であり、被係合部１５２が筐体１２０の外壁１２１に設けられた嵌入穴となった規制構造１５０が例示されている。しかしながら、規制構造は、これに限るものではなく、例えば、コネクタ側の係合部が嵌入穴で、筐体側の被係合部が突起となった構造であってもよい。ただし、コネクタ１１０側の係合部１５１を突起とし、筐体１２０側の被係合部１５２を嵌入穴とすることで、規制構造１５０を設けるに当たっての困難さを低減することができる点は上述した通りである。
【００４８】
また、上述した第１実施形態では、規制構造の一例として、係合部１５１が、２つの取付け孔１１３ａそれぞれについて１つずつ設けられ、被係合部１５２が、２つの係合部１５１それぞれについて１つずつ２つ設けられた規制構造１５０が例示されている。しかしながら、規制構造は、これに限るものではなく、係合部が、複数の取付け孔の一部についてのみ設けられ、被係合部が、このような係合部が係合するように設けられたものであってもよい。また、規制構造は、係合部が一の取付け孔について複数設けられ、被係合部が、このような複数の係合部が係合するように設けられたものであってもよい。ただし、係合部１５１が各取付け孔１１３ａについて１つずつ設けられ、被係合部１５２が、このような係合部１５１が係合するように設けられていることで、防水性能の低下を一層強く抑えることができる点も上述した通りである。
【００４９】
また、上述した第１実施形態では、規制構造の一例として、係合部１５１が、取付け孔１１３ａに最も近い縁部分１１３ｄに対し、当該取付け孔１１３ａよりも遠くなる位置に設けられている規制構造１５０が例示されている。しかしながら、規制構造は、これに限るものではなく、係合部が、取付け孔に最も近い縁部分に対し、取付け孔よりも近くなる位置に係合部が設けられたものであってもよい。ただし、上記の縁部分１１３ｄに対し、取付け孔１１３ａよりも遠くなる位置に係合部１５１が設けられることで、係合部１５１の設置による取付け部１１３の大型化を抑えることができる点も上述した通りである。
【００５０】
また、上述した第２実施形態では、規制構造の一例として、凸部２５１が取付け孔２１３ａの内縁の全周から突出した円筒状凸部であり、凹部２５２がネジ孔２２１ｂの螺入口を拡げたザグリ穴となった規制構造２５０が例示されている。しかしながら、規制構造は、これに限るものではなく、例えば凸部が取付け孔の内縁の一部から突出した棒状凸部であり、凹部がこのような棒状凸部が嵌入する嵌入穴となったもの等であってもよい。ただし、凸部２５１を円筒状凸部、凹部２５２をザグリ穴とすることで、高強度でコネクタの回転を規制することができ、加工の困難さを低減することができる点も上述した通りである。
【００５１】
また、上述した第２実施形態では、規制構造の一例として、凸部２５１が、２つの取付け孔２１３ａそれぞれの内縁から突出するように２つ設けられ、凹部２５２が、２つの凸部２５１に一対一に対応するように２つ設けられた規制構造２５０が例示されている。しかしながら、規制構造は、これに限るものではなく、凸部が、複数の取付け孔の一部についてのみ設けられ、凹部が、このような凸部が対応するように設けられたものであってもよい。ただし、凸部２５１が各取付け孔２１３ａについて１つずつ設けられ、凹部２５２が、このような凸部２５１が対応するように設けられていることで、防水性能の低下を一層強く抑えることができる点も上述した通りである。
【００５２】
また、上述した第１及び第２実施形態では、取付け部の一例として、ハウジング１１１とは別部品として形成されて当該ハウジング１１１に固定される取付け部１１３，２１３が例示されている。しかしながら、取付け部は、これに限るものではなく、樹脂でハウジングと一体成形されるもの等であってもよい。ただし、取付け部１１３，２１３をハウジング１１１とは別部品として形成されるものとすることで、取付け部の摩耗を抑えることができる点も上述した通りである。
【００５３】
また、上述した第１及び第２実施形態では、ハウジングとは別部品として形成される取付け部の一例として、平面視でＣ字状となるように形成された取付け部１１３，２１３が例示されている。しかしながら、取付け部は、これに限るものではなく、その形状は任意に設定し得るものである。
【００５４】
また、上述した第１及び第２実施形態では、防水部材の一例として、筐体１２０，２１０の外壁１２１，２２１における貫通孔１２１ａの内縁とハウジング１１１の外周面１１１ａとの間に介在するＯリング１４０が例示されている。しかしながら、防水部材は、これに限るものではなく、例えば、コネクタにおける取付け部の筐体側を向く面と、筐体の外壁の外面と、の間に介在するパッキン等であってもよく、具体的な配置位置や部材態様を問うものではない。ただし、防水部材として、筐体１２０，２１０の外壁１２１，２２１における貫通孔１２１ａに収まるＯリング１４０を採用することで、コネクタ取付け構造１，２の小型化を図ることができる点も上述した通りである。
【符号の説明】
【００５５】
１，２  コネクタ取付け構造
１１０，２１０  コネクタ
１１１  ハウジング
１１１ａ  外周面
１１１ｂ  圧入溝
１１１ｃ  Ｏリング取付け溝
１１２  コネクタ端子
１１３，２１３  取付け部
１１３ａ，２１３ａ  取付け孔
１１３ａ−１，２１３ａ−１  中心軸
１１３ｂ  面
１１３ｃ  外周縁
１１３ｄ  縁部分
１２０，２２０  筐体
１２１，２２１  外壁
１２１ａ  貫通孔
１２１ａ−１  内周面
１２１ｂ，２２１ｂ  ネジ孔
１２１ｃ  外面
１３０  ネジ
１４０  Ｏリング
１５０，２５０  規制構造
１５１  係合部
１５２  被係合部
２５１  凸部
２５２  凹部
【図１】
2020205153.tif 000003
【図２】
2020205153.tif 000004
【図３】
2020205153.tif 000005
【図４】
2020205153.tif 000006
【図５】
2020205153.tif 000007
【図６】
2020205153.tif 000008
【図７】
2020205153.tif 000009
【図８】
2020205153.tif 000010